(57)【要約】【課題】スプールの取り付け及び取り外し操作を容易かつ確実に行え、保持中のスプールが誤って外れることがないハンドリング性に優れた構成を提供する。【解決手段】スプール１２のフランジ１４を外側から把持するように、フランジ１４の円周方向に関して等間隔に配置された３個の把持部材１６ａ、１６ｂ（不図示）、１６ｃと、これら把持部材１６ａ〜１６ｃを動かすための把持部材動作機構１８を設ける。レバー２０を反時計方向（矢印（Ｘ）の方向）に回動操作すると、押し込み部材４４を押してカム部３０が回動し、３個の把持部材１６ａ〜１６ｃが同時にフランジ１４から離れる方向（（矢印（Ｙ）の方向）に開く。この状態でレバー２０をＸとは逆方向に操作すると、３個の把持部材１６ａ〜１６ｃが同時に閉じてフランジ１４の外周面を把持する。【選択図】図１
2008235476.tif 000002
【特許請求の範囲】
【請求項１】
中空円筒状のスプールのフランジを外側から把持するスプール取付け治具において、
作業者が握るためのグリップ部材に、スプールのフランジを把持するように円周方向に等間隔に配置された少なくとも３個の把持部材と、操作部を操作することにより各把持部材を同時に半径方向にそれぞれ開閉動作させる把持部材動作機構とを備えるとともに、
前記グリップ部材における握り部は、把持部材動作機構の操作部からずれた位置に形成されていること
を特徴とするスプール取付け治具。
【請求項２】
請求項１に記載のスプール取付け治具において、
各把持部材は、ヒンジ軸により揺動自在に支持されるとともに、その前端部にフランジの外周部に嵌まり込む爪部が形成され、
前記ヒンジを介して反対側端部にカム部が形成され、これらカム部は各把持部材の半径内方位置に接近して配置され、
前記把持部材動作機構は、
前記操作部の操作によって各カム部を同時に押圧して爪部を開く方向に揺動させる押し込み部材と、爪部を閉じる方向にカム部を押圧付勢する付勢手段とを備えること
を特徴とするスプール取付け治具。
【請求項３】
請求項２に記載のスプール取付け治具において、
グリップ部材の先端には、把持部材が配置される円の中心位置に、スプールの軸孔に挿入可能な基台部材が設けられること
を特徴とするスプール取付け治具。
【請求項４】
請求項１ないし３のいずれか一つに記載のスプール取付け治具において、
前記操作部は、グリップ部材に揺動可能に支持されたレバーからなり、該レバーの基端部に、前記押し込み部材の後端に当接してレバーの揺動に伴って押し込み部材を移動する偏心カムが形成されていること
を特徴とするスプール取付け治具。
【発明の詳細な説明】
【技術分野】
【０００１】
本発明は、ボンディングワイヤ用スプールを保持するためのスプール取付け治具に関する。
【背景技術】
【０００２】
従来より、ボンディングワイヤのスプール取付け治具が知られている。こうしたスプール取付け治具としては、例えばスプールのフランジ外周面に外側から係合して洗濯ばさみのように把持する構成（例えば特許文献１参照）や、３個の把持部により把持する構成（例えば特許文献２参照）が知られている。このようなスプール取付け治具は、スプールを直接手で持って取り扱う場合の不具合、すなわち、ワイヤ表面に作業者の手が接触することによる繰り出し不良、断線、放電不良等を生じさせることなくスプールを取り扱えるようになっている。
【特許文献１】特開平１１−１００１７０号公報
【特許文献２】特開２００２−５７１８４号公報
【発明の開示】
【発明が解決しようとする課題】
【０００３】
しかし、洗濯ばさみのように機能する特許文献１のスプール取付け治具は、フランジを把持する一対の把持片の先端部分が、フランジの外周面に当接係合する構成となっており、把持片の後端部を閉じる動作をすると先端部の係合部が開き、この状態でスプールのフランジ外周面を係合部に係合させて後端部の閉じ動作を解除すると両把持片の係合部によってフランジ外周面が把持されるようになっている。このため、作業者がスプールを取付け治具に保持してスプールを取り扱う際、取付け治具の後端部を手で握って取り扱う必要があるが、この場合に取付け治具の後端部を握る力が強すぎると把持片先端部の係合部が開いてスプールが取付け治具から外れ落ちてしまう可能性があった。
【０００４】
また、３個の把持部を備える特許文献２のスプール取付け治具は、把持部のいずれか１個を押し広げ、フランジ径方向外側に弾性的に撓ませることで残り２個の把持部との間の距離を広げ、この状態でスプールのフランジを３個の把持部の切り込み部に導入し、押し広げる力を解除することで残り２個の把持部との間の距離を狭めてフランジ外周面を保持する構成となっている。このように３個のうち１個の把持部を弾性変形させる構成であるため、３個の把持部をスプールに取り付ける際には取付け治具をフランジに対してわずかにずらす必要があった。また、３個すべての把持部がフランジの外側にあることを視認した上で押し広げる力を解除しなければならず、必ずしも操作性が高いとは言えなかった。また、スプールから取付け治具を取り外す際においても、１個の把持部に押し広げる力を作用させてこれを撓ませた後、スプールから取付け治具を少しずらしてから残り２個の把持部を解除しなければならず、この際に誤ってスプールを引っ掛けて損傷させてしまうおそれがあった。
【０００５】
本発明は、このような背景の下になされたものであり、スプールをワイヤボンダのスプールホルダに装着する際に、作業者の手がスプールに巻かれたワイヤに接触しないように取り扱うことができるスプール取付け治具であって、スプールの取り付け及び取り外し操作を容易かつ確実に行え、保持中のスプールが誤って外れることがないハンドリング性に優れたスプール取付け治具を提供することを目的としている。
【課題を解決するための手段】
【０００６】
本発明に係るスプール取付け治具は、中空円筒状のスプールのフランジを外側から把持するスプール取付け治具において、作業者が握るためのグリップ部材に、スプールのフランジを把持するように円周方向に等間隔に配置された少なくとも３個の把持部材と、操作部を操作することにより各把持部材を同時に半径方向にそれぞれ開閉動作させる把持部材動作機構とを備えるとともに、前記グリップ部材における握り部は、把持部材動作機構の操作部からずれた位置に形成されていることを特徴とする。
本発明によれば、少なくとも３個の把持部材を同時に開閉動作してスプールのフランジを把持するので、その把持動作を確実に行わせると同時に、操作部と握り部とをずらしたのでグリップ部材を握る動作によって誤って把持部材を開閉することがない。
【０００７】
本発明に係る他のスプール取付け治具は、上記において、各把持部材は、ヒンジ軸により揺動自在に支持されるとともに、その前端部にフランジの外周部に嵌まり込む爪部が形成され、前記ヒンジを介して反対側端部にカム部が形成され、これらカム部は各把持部材の半径内方位置に接近して配置され、前記把持部材動作機構は、前記操作部の操作によって各カム部を同時に押圧して爪部を開く方向に揺動させる押し込み部材と、爪部を閉じる方向にカム部を押圧付勢する付勢手段とを備えることを特徴とする。
本発明によれば、押し込み部材により各把持部材を同時に開くことができるとともに、押し込み部材による押圧を解除することにより、付勢手段によって各把持部材が同時に閉じられることになる。
【０００８】
本発明に係る他のスプール取付け治具は、上記において、グリップ部材の先端には、把持部材が配置される円の中心位置に、スプールの軸孔に挿入可能な基台部材が設けられることを特徴とする。
本発明によれば、スプールを取り付ける際、スプールの内面に基台部材を当接させることで位置決めが容易にできる。
【０００９】
本発明に係る他のスプール取付け治具は、上記において、前記操作部は、グリップ部材に揺動可能に支持されたレバーからなり、該レバーの基端部に、前記押し込み部材の後端に当接してレバーの揺動に伴って押し込み部材を移動する偏心カムが形成されていることを特徴とする。
本発明によれば、レバー操作により把持部材動作機構を容易に操作することができる。
【発明の効果】
【００１０】
上記構成により、把持部材の開閉操作をするだけでスプールを把持したり、取り外すことができる。このため、スプールを把持部材に取り付ける際には、従来技術のように誤ってスプールを引っ掛けて損傷させることはない。また、作業者がスプールを取付け治具に保持してスプールを取り扱う際に、従来技術のように取付け治具を握ることで把持部材の爪部が開いてスプールが取付け治具から外れ落ちることはない。このように、作業者がスプールに直接手を触れることなく、スプールを容易かつ確実に取付け治具に取り付け、取り外すことができる。
【発明を実施するための最良の形態】
【００１１】
以下に本発明に係る実施の形態につき、図面を用いて詳細に説明する。図１は本実施形態に係るスプール取付け治具１０の断面図であり、スプールを保持した状態を示している。図２は図１のＡ−Ａ線に沿った図である。
【００１２】
図１、２に示すように、スプール取付け治具１０は、中空円筒状のスプール１２のフランジ１４を外側から把持するように、軸心Ｃを中心とする円の円周方向に等間隔に配置された３個の把持部材１６ａ、１６ｂ、１６ｃを備えている。各把持部材１６ａ〜１６ｃは、前端部にフランジ１４の外周部に嵌まり込むための爪部２４を備えていて、その後方のヒンジ軸３２により揺動自在に支持されている。ヒンジ軸３２を介して反対側端部には、半径内方位置に接近してカム部３０が形成されている。このヒンジ軸３２は、作業者が握るためのグリップ部材として用いられるグリップハンドル４８から延びた本体３４に設けられている。
そして、スプール取付け治具１０は、各把持部材１６ａ〜１６ｃを半径方向にそれぞれ同時に開閉動作させる把持部材動作機構１８を備えている。
把持部材動作機構１８は、作業者が握るためのグリップハンドル４８の先端で軸心Ｃと同軸に設けられる基台部材３６と、その後方であって各カム部３０の前方に当接して設けられた凸状の可動部材３８と、可動部材３８に設けられて付勢手段として用いられる付勢バネ４２と、可動部材３８の後方であって各カム部３０の後方に当接して設けられた円柱状の押し込み部材４４と、押し込み部材４４の後端に当接する偏心カムとして機能する偏心カム部材４６と、偏心カム部材４６から突き出てグリップハンドル４８に揺動可能に支持された操作部としてのレバー２０とを備えている。
【００１３】
各把持部材１６ａ〜１６ｃは、先端が軸心Ｃに向かって屈曲することでフランジ１４の外周部に嵌まり込むための溝２２が前方に形成された爪部２４と、爪部２４から後方に伸びるアーム部２６とを備えており、ヒンジ軸３２を介して反対側端部に前記カム部３０が形成されている。このカム部３０は、各把持部材１６ａ〜１６ｃの半径内方位置に接近して配置されるようになっており、円周の軸心Ｃに向かって突き出た略矩形状の突出片２８を備える。各ヒンジ軸３２は、円周の半径方向に垂直な方向を向いて本体３４に設けられ、突出片２８の基部側に設けられる。このように各把持部材１６ａ〜１６ｃは、ヒンジ軸３２に揺動可能に支持されるようになっている。
【００１４】
基台部材３６は、グリップハンドル４８の先端の本体３４に設けられ、小径側が前方に位置するように軸心Ｃと同軸に配置された略円錐台形状の部材であり、スプール１２の軸孔１３に挿入可能となっている。そして、基台部材３６の先端側が軸孔１３に挿入されるとその斜辺の一部がフランジ１４の内周部に当接してこれを内周側から保持することにより位置決めとすることができる。そして、基台部材３６の後方側には略円柱状の空洞５０が軸心Ｃと同軸上に形成されている。この空洞５０には、可動部材３８の小径円柱部４０が挿入するようになっており、可動部材３８の小径円柱部４０の外周に設けられた付勢バネ４２の一端側を係止するための段差５２が形成されている。
【００１５】
可動部材３８は、異なる２つの径の円柱が同軸状に結合した凸状の部材であり、基台部材３６の大径側（円錐の底部側）に軸心Ｃと同軸上に設けられ、軸方向に移動可能となっている。そして、この可動部材３８の前方側の小径円柱部４０は基台部材３６の大径側に設けられた空洞５０内に挿入されており、可動部材３８の後方側の大径円柱部５４はその径が空洞５０の径よりも大きく形成されて空洞５０に入り込まないようになっている。
可動部材３８の小径円柱部４０の外周には付勢バネ４２が設けられ、このバネ４２が基台部材３６の空洞内５０に形成された段差５２と、可動部材３８の大径円柱部５４の前方側の端面とに挟まれることにより可動部材３８と基台部材３６とを互いに引き離す方向に押圧付勢するようになっている。そして、大径円柱部５４の後方側の端面の半径方向外方部分が、３個の把持部材１６ａ〜１６ｃの各カム部３０の略矩形状の突出片２８の前方側の面５８と当接することで、付勢バネ４２の復元力によって各カム部３０の突出片２８を後方へ押すように作用するようになっている。そして、各把持部材１６ａ〜１６ｃがカム部３０のヒンジ軸３２まわりに回動することにより、各把持部材１６ａ〜１６ｃの爪部２４を円周の半径方向内側へ閉じる方向へ動くように押圧付勢するようになっている。
このようにして、３個の把持部材１６ａ〜１６ｃを同時かつ均等に閉じることができる。また、押し込み部材４４が前方に移動すると、カム部３０の突出片２８が前方に押されて、各把持部材１６ａ〜１６ｃの爪部２４が円周の径方向外側へ開くように、カム部３０の突出片２８が回動するようになる。この結果、可動部材３８は、各突出片２８から力を受けて前方へ移動するようになっている。
【００１６】
付勢バネ４２は、可動部材３８と、可動部材３８の前側の小径円柱部４０の外周に嵌め込まれ、大径円柱部５４と基台部材３６の空洞５０に形成された段差５２とに挟まれることで可動部材３８と基台部材３６とを互いに引き離す方向に押圧付勢している。このようにすることで、付勢バネ４２は爪部２４を閉じる方向にカム部３０を押圧付勢するようになっている。この付勢バネ４２としてはコイルバネを用いてもよい。
【００１７】
押し込み部材４４は、可動部材３８の後方側であって把持部材１６ａ〜１６ｃのカム部３０の後方に軸心Ｃと同軸上に配置された円柱状の部材であり、軸心Ｃの方向に移動可能なようになっている。そして、押し込み部材４４の前方側の面の半径方向外方部分は、３個の把持部材１６ａ〜１６ｃの各カム部３０の突出片２８の後方側の面６０と当接した状態になっており、押し込み部材４４が前方へ移動すると、それぞれの突出片２８を押し込み、各把持部材１６ａ〜１６ｃがカム部３０のヒンジ軸３２まわりに回動することにより、各把持部材１６ａ〜１６ｃの爪部２４が円周の半径方向外側へ開くようになっている。
このようにすることで、３個の把持部材１６ａ〜１６ｃを同時かつ均等に開くことができる。また、押し込み部材４４の後方側の面には、軸心Ｃに垂直な方向の回転軸を有する略円柱状の偏心カム部材４６の外周部が当接しており、偏心カム部材４６の回転により押し込み部材４４が前方へ移動するようになっている。なお、押し込み部材４４は本体３４内に収容されることで半径方向の移動を拘束されている。
【００１８】
偏心カム部材４６は、押し込み部材４４の後方側の面に、外周の一部が当接するように配置された略円柱状の部材であり、その回転軸５６は、把持部材１６ａのカム部３０のヒンジ軸３２と平行な方向であって、軸心Ｃから少し下側に偏心した位置に設けられており、偏心カム部材４６はこの回転軸５６に回動可能に軸支されている。そして、この偏心カム部材４６には、偏心カム部材４６の回転軸５６から後方に突き出された棒状のレバー２０が形成されている。このレバー２０は、グリップハンドル４８の略中央部分に形成された握り部４７からずれた位置に設けられており、これに揺動可能に支持されるようになっている。このように、偏心カム部材４６は、その回転軸５６中心から押し込み部材４４の後面までの寸法が、レバー２０を矢印（Ｘ）の向きに回動するにしたがって押し込み部材４４の後面から遠ざかるように変化する偏心カム形状として構成されている。
そして、レバー２０の揺動操作すると偏心カム部材４６は押し込み部材４４を軸心Ｃの方向に移動させるようになっている。具体的には、レバー２０を矢印（Ｘ）の方向に回動すると、偏心カム部材４６が回転軸５６まわりに矢印（Ｘ）の向きに回動し、押し込み部材４４を前方へ押し込む。また、レバー２０を逆方向に回動すると、押し込み部材４４は可動部材３８に設けられた付勢バネ４２の作用により後方へ押し戻される。なお、偏心カム部材４６は本体３４に収容されて、その回転軸５６は本体３４に固定されている。
【００１９】
この構成において、図１に示されるレバー２０を反時計方向（矢印（Ｘ）の方向）に回転操作して把持部材動作機構１８を作動させると、押し込み部材４４が各カム部３０の各突出片２８の後方側の面６０を同時に押圧するので、３個の把持部材１６ａ〜１６ｃの各爪部２４が同時にフランジ１４から離れる方向（矢印（Ｙ）の方向）へ開くようになっている。そして、レバー２０を元の位置に戻すと、３個の把持部材１６ａ〜１６ｃが同時に閉じてフランジ１４の外周面を把持するようになっている。
こうした構成により、スプール１２を容易かつ確実に取り付け、取り外すことができる。このようにして３個の把持部材１６ａ〜１６ｃが円周方向に関して等間隔に配置され、把持部材動作機構１８の作動によって同時に開閉するように動作することにより、スプール１２を安定して取り付け、取り外しすることができるようになる。また、作業者が握るためのグリップハンドル４８の握り部４７が把持部材動作機構１８からずれた位置に設けられるため、保持中のスプールを取り扱う際に、３個の把持部材１６ａ〜１６ｃが誤って開閉することはない。
【００２０】
上記構成の動作を説明する。まず、スプール１２を取り付ける場合の動作について説明する。図１において、レバー２０を反時計方向（矢印（Ｘ）の方向）に操作すると、偏心カム部材４６がＸの方向に回動し、押し込み部材４４を左の方向に移動させる。そうすると、押し込み部材４４は３個の把持部材１６ａ〜１６ｃの各カム部３０の突出片２８を押して、３個の把持部材１６ａ〜１６ｃの各爪部２４が同時に円周の半径方向外側に向かって開くように各カム部３０がヒンジ軸３２まわりを揺動回転する（図３に示されるスプールを開放した状態）。
この状態で、取付け治具１０を前方に動かして略円錐台形状の基台部材３６の斜辺をフランジ１４の内面に当接して位置決めするとともに、３個の把持部材１６ａ〜１６ｃの爪部２４をフランジ１４の外周部のやや外側に位置するようにあわせた後、レバー２０をＸの方向とは逆向きに操作すると、押し込み部材４４が後方へ移動し、付勢バネ４２の復元力により可動部材３８が後方へ移動する。そして可動部材３８が各カム部３０を押してこれらをヒンジ軸３２まわりに揺動回転させ、３個の把持部材１６ａ〜１６ｃの各爪部２４が同時に円周の径方向内側に向かって閉じる（図１に示されるスプールを把持した状態）。こうすることによって、スプール１２のフランジ１４はスプール取付け治具１０により保持される。なお、スプール１２を取り外す場合の動作については、レバー２０をＸの方向に操作して３個の把持部材１６ａ〜１６ｃの爪部２４を開くように動作させることにより行うことができる。
【００２１】
上記の実施形態の他、本発明に係るスプール取付け治具は、片側に円形の蓋部を有する開口円筒体の蓋部の外側面に、蓋面の円周方向に関して等間隔に配置された３個の突起爪を形成した構成を用いてもよい。この場合、円筒体と蓋面とをプラスチック、ＰＥＴ又はシリコーンゴムなどの弾性的な変形が可能な材質により一体的に成形するようにしてもよい。この構成において、スプールを把持する場合には、円筒の胴体部を握り締めることで３個の爪をそれぞれ径方向外側に均等に変位させ、スプールのフランジの外側からフランジの外周面に爪を導入させてから円筒の胴体部への握り締める力を解放することで３個の爪をフランジ外周面に係合することができる。また、スプールを取り外す場合には、円筒の開口側から指を挿入して、蓋面の略中心を押し込むことで蓋面を中央から径方向に均等に撓ませることにより、３個の爪を外側に向かって均等に開いてスプールを取り外すようにしてもよい。なお、上記において、突起爪は、蓋部の内側面から指を挿入できる形状に形成してもよく、いずれにしても本発明の効果を奏することができる。
【００２２】
なお、上述した実施の形態において示した各構成部材の諸形状や組み合わせあるいは動作手順等は一例であって、本発明の主旨から逸脱しない範囲において設計要求等に基づき種々変更可能である。
【図面の簡単な説明】
【００２３】
【図１】本発明に係るスプール取付け治具の実施形態の一例を示す断面図であり、スプールを保持した状態を示す図である。
【図２】本発明に係るスプール取付け治具の図１のＡ−Ａ線に沿った図である。
【図３】本発明に係るスプール取付け治具の実施形態の一例を示す断面図であり、スプールを開放した状態を示す図である。
【符号の説明】
【００２４】
１０…スプール取付け治具
１２…スプール
１３…軸孔
１４…フランジ
１６ａ，１６ｂ，１６ｃ…把持部材
１８…把持部材動作機構
２０…レバー（操作部）
２４…爪部
３０…カム部
３２…ヒンジ軸
３６…基台部材
３８…可動部材
４２…付勢バネ（付勢手段）
４４…押し込み部材
４６…偏心カム部材（偏心カム）
４７…握り部
４８…グリップハンドル（グリップ部材）
【図１】
2008235476.tif 000003
【図２】
2008235476.tif 000004
【図３】
2008235476.tif 000005